(57)【要約】  前端に針を有する注射器（１３）又はカートリッジを収容する本体（１０、１２）を備え、注射器（１３）又はカートリッジが本体内で前方に移送されて、針を注射のために本体から延出させる、自動注入装置であって、本体は、略管状形状の前方部分（３２）を有するシュラウド（２４）を前方領域に収納し、シュラウドは、後方の収納位置と前方の延伸位置との間を長手方向に移動可能であり、自動注入装置は、シュラウドを前方に付勢するためのばね装置を更に備え、ばね装置（４４）は、互いに並んで配置され、且つ長手方向軸線から間を置いて配置される２つのばねを含む。【選択図】図３
2014503282.tif 000002
【特許請求の範囲】
【請求項１】
前端に針を有する注射器（１３）又はカートリッジを収容する本体（１０、１２）を備え、前記注射器（１３）又はカートリッジが前記本体内で前方に移送されて前記針を注射のために前記本体から延出させる、自動注入装置であって前記本体は、略管状形状の前方部分（３２）を有するシュラウド（２４）を前方領域に収納し、前記シュラウドは、後方の収納位置と前方の延伸位置との間を長手方向に移動可能であり、前記自動注入装置は、前記シュラウドを前方に付勢するためのばね装置を更に備え、前記ばね装置（４４）は、互いに並んで配置され、且つ長手方向軸線から間を置いて配置される２つのばねを含む、自動注入装置。
【請求項２】
前記本体の前方領域は、管状であり、前記注射器又は前記カートリッジを囲む、請求項１に記載の自動注入装置。
【請求項３】
前記ばねは、長手方向に配置され、前記長手方向軸線と概ね平行で且つ同一平面にある、請求項１又は請求項２に記載の自動注入装置。
【請求項４】
前記注射器又はカートリッジは、前記本体の内部の長手方向の移動のために取り付けられた注射器キャリアの内部に設置され、前記シュラウドは、前記自動注入装置の操作の少なくとも１つの段階の間に前記注射器キャリアに対する相対的な長手方向の移動のために移送される、請求項１から３のいずれか一項に記載の自動注入装置。
【請求項５】
前記ばねは、前記注射器キャリアの一部を形成する構造要素又は前記注射器キャリアに接続された構造要素と、前記シュラウドのそれぞれの一部を形成する構造部品又は前記シュラウドのそれぞれに接続された構造部品と、の間で作用するように配置される、請求項４に記載の自動注入装置。
【請求項６】
静止位置において、前記ばねは、前記注射器又はカートリッジの後方部分に隣接して並んで配置される、請求項１から５のいずれか一項に記載の自動注入装置。
【請求項７】
前記ばねの各々は、コイル径と線径との比であるばね指数が３から２０までの圧縮ばねである、請求項１から６のいずれか一項に記載の自動注入装置。
【請求項８】
前記ばねの収縮位置と延伸位置との間の前記ばねのひずみに対する前記ばねの自由長の比は、３：１から６：１までの範囲内にある、請求項１から７のいずれか一項に記載の自動注入装置。
【請求項９】
前記ばねはコイルばねであり、前記ばねは、各ばねの内部の少なくとも一部分を延びる個別の細長部材を備える、請求項１から８のいずれか一項に記載の自動注入装置。
【発明の詳細な説明】
【技術分野】
【０００１】
本発明は、自動注入装置（ａｕｔｏｉｎｊｅｃｔｏｒ）に関する。
【背景技術】
【０００２】
従来の自動注入装置において、針シュラウドは、注射器を囲む圧縮ばねにより収縮位置と延伸位置との間で付勢されることがある。
【発明の概要】
【発明が解決しようとする課題】
【０００３】
この配置による短所は、特に使用前後で注射器の内容物を観察することが必要又は望ましい場合、ばねの巻が注射器の視察を遮るということである。
【課題を解決するための手段】
【０００４】
従って、１つの態様において、本発明は、前端に針を有する注射器又はカートリッジを収納する本体を備え、注射器又はカートリッジが本体内で前方に移送されて、前記針を注射のために本体から延出させる、自動注入装置であって、前記本体は、略管状形状の前方部分を有するシュラウドを前方領域に収納し、シュラウドは、後方の収納位置と前方の延伸位置との間を長手方向に移動可能であり、自動注入装置は、シュラウドを前方に付勢するためのばね装置を更に含み、前記ばね装置は、互いに並んで配置され、且つ長手方向軸線から間を置いて配置された２つのばねを含む、自動注入装置を提供する。
【０００５】
本発明の好適な実施例は、上記の配置のいくつかの有利性から利益を得る。ばねが注射器を囲まないとき、その視界を遮らないように、ばねを注射器のいずれの側面にも配置することができる。また、ばねを、ユーザにとって見えない区画の内部に配置することができる。一定間隔で配置された一対のばねの使用は、ばねが後方位置に配置されることを可能にしてもよいように、また、自動注入装置の設計において更に高い適応性を提供することができる。また、ばね設計の観点からの利点があり得る。すなわち、１つのばねの代わりに並列に作動する２つのばねを備えることは、アセンブリのばね特性の観点からの利点を提供することができる。例えば、ばねがその延伸位置まで移動するのに伴うばねの端部に向かう力の減少は、より小さくてもよい。ばねが後方位置に配置される場合、これは注射器の前方内部内の空間を解放することができる。更に、扁円又は楕円の断面装置の採用から得られる表面上に配置されるとき、人間工学及び改善された安定度の観点から有利性がある。これは、注射器のいずれかの側面に対するばねの位置決めにより、必要であれば更に小さな短軸寸法により、実現可能になることは充分に理解されるだろう。
【０００６】
好ましくは、ばねは、シュラウド上にバランスのとれた長手方向の推進力を提供するように、自動注入装置の中心縦断面上に配置される。好ましくは、ばねは、前記シュラウドに関連した表面（好ましくは凹面）によって半径方向の外方向に境界のある空間、及び前記注射器キャリアに関連した表面（好ましくは凹面）によって半径方向の内方向に境界のある空間に、少なくとも部分的に包含される。このように、ばねは、視界から少なくとも部分的に隠される。好ましくは、ばねは、圧縮ばねである。好ましくは、注射器キャリアは、各ばねの内部においてその長さの少なくとも一部分を通過する個別の長手部材を有し、それによりばねを内部に抑制し、圧縮状態にある細く長いばねに他の方法で生じる可能性がある蛇行を防止する。長手部材は、好ましくは、自動注入装置が発射される際に注射器又はカートリッジが前方に移動するとき、長手部材がシュラウドの内部を通過するように設計される。
【０００７】
好ましくは、前記注射器又はカートリッジは、前記本体の内部に長手方向の移動のために取り付けられた注射器キャリアの内部に配置され、前記シュラウドは、前記自動注入装置の操作の少なくとも１つの段階の間に前記注射器キャリアに対する相対的な長手方向の移動のために移送される。
【０００８】
１つの態様において、前記ばねは、前記注射器キャリアの一部を形成する構造要素、又は前記注射器キャリアに接続された構造要素と、前記シュラウドのそれぞれの一部を形成する構造部品、又は前記シュラウドのそれぞれに接続された構造部品と、の間で作用するように配置されてもよい。
【０００９】
１つの態様において、ばねが休止位置にあるとき、ばねは、前記注射器又はカートリッジの後方部分に隣接して並んで配置される。
【００１０】
好ましくは、前記ばねの各々は、ばね指数（コイル径：線径）が３から２０までの圧縮ばねである。好ましくは、ばねの収縮位置と延伸位置との間のばねのひずみに対するばねの自由長の比は、３：１から６：１までの範囲内にある。
【００１１】
本発明について上述したが、本発明は、以上で提示された、又は、以下の明細書もしくは特許請求の範囲において提示される、新規な特徴の任意の進歩的な組み合わせ又はサブコンビネーションにまで及ぶ。
【００１２】
本発明を様々な方法で実施してよく、その１つの実施形態を、様々な変更とともに、ここでは単なる例として、添付の図面に関連して以下に記載する。
【図面の簡単な説明】
【００１３】
【図１】注射に先立って、但し第２のリアキャップの除去前に、除去された第１のフロントキャップをもつ本発明の一実施形態による自動注入装置の透視図である。
【図２】フォワードアセンブリに注射器を装填するに先立って分離され、相互にスナップ嵌合されたリアアセンブリ及びフロントアセンブリをもつ自動注入装置の図である。
【図３】フロントアセンブリの分解立体図である。
【図４】リアアセンブリの分解立体図である。
【図５】注射器キャリアの拡大図である。
【図６】針シュラウドの拡大図である。
【図７】フロント本体収納部の拡大図である。
【図８】ばねガイドの拡大図である。
【図９】相互にスナップ嵌合される、ばねガイド及び注射器キャリアを示す図である。
【図１０】フロントキャップ／針シールド除去器の拡大図である。
【図１１】図１０のキャップの長軸に沿った水平断面図である。
【図１２】トリガボタンの拡大図である。
【図１３】プランジャの拡大図である。
【図１４】（ａ）及び（ｂ）のそれぞれは、使用前状態にある自動注入装置の長軸に沿った面／短軸に沿った面による横断面図である。
【図１５】（ａ）及び（ｂ）のそれぞれは、使用後の自動注入装置の長軸に沿った面／短軸に沿った面による横断面図である。
【図１６】（ａ）及び（ｂ）は、前方にくぼんだ皮膚接触面を示す、装置の前端の詳細図である。
【発明を実施するための形態】
【００１４】
図示され、以下に記載する自動注入装置の実施例は、注入部位へもたらされて発射されたときに、選択された投与量の薬剤を自動的に注入するように設計されている。初めに図１及び図２を参照すると、自動注入装置は、駆動機構を含むリアアセンブリ１０と、薬剤をもつ注射器１３を収容するためのフロントアセンブリ１２とを備える。フロントアセンブリ及びリアアセンブリは、製造中に相互にスナップ嵌合される。装置の前端には、以下に記載されるように針シールド除去器としても機能する着脱可能なキャップ１４がある。リアアセンブリの後端には、駆動機構の時期尚早な発射を阻止する安全ピンを含むリアキャップ１６があり、リアキャップはさらに発射ボタン１８をカバーする。
【００１５】
ここで図３を参照すると、フロントアセンブリ１２は、装置が組み立てられたときに注射器を観察することができる、互いに反対の位置にある一体型の表示ウィンドウ２２を画定する、概ね透明なプラスチック材料の外側本体収納部２０を備える。ウィンドウは、注射器の投与量の全量を観察することを可能にする。ウィンドウ２２の透明なプラスチック材料は別として、本体収納部２０は不透明であってよい。透明ウィンドウ部品を備えることは、開いた開口又は溝の一般的な配置の代わりに、注射器への外部アクセスを防止するという利点がある。さらに、装置の長手軸のいずれかの側部に間隔をあけて配置された一対のシュラウドばねを備えることは、いかなるばねなどによって不明瞭にされることなく、投与量の全長が明確に目に見えることを意味する。
【００１６】
収納部２０の内部に針シュラウド２４が摺動可能に取り付けられ、針シュラウド２４は、中心開口部２８をもつ面取りされた円錐形及び／又は凸状の曲線状ドーム形のフロント面２６を有し、注入中に注射器の針が突出することができるよう、前方にくぼんだ構成を針シュラウド２４の内部に提供する。シュラウド２４は、前方管状部３２から後方に延伸しながら、後方に延びる２つのアーチ形断面のアーム３０を含む。
【００１７】
注射器キャリア３４が針シュラウドに摺動可能に連結されていて、注射器キャリアは、針シュラウド２４の管状部３６の内部に入れ子式に摺動することができる前方管状部３６を有する。２つのアーム３８が、注射器キャリア３４の管状部３６から後方に延び、その２つのアーム３８は、注射器の筒体を摺動可能に収容するための対向する内部凹状面４０と、針シュラウド２４のアーム３０上の凸状の内部アーチ形面と共に、一対のシュラウドばね４４のための円柱状の収容空間を画定するための外部凹状面４２と、を有する。
【００１８】
ばねガイド４６は、前方に延び、各ばね４４の中心を通る２つのフィンガ４８を有する。ばねガイド４６は、注射器が通過する円形の開口部５２を囲むオーバーモールド成形されたライナ５０を有する。ライナは、注射器のための緩衝器として機能する。ばねガイド４６は、以下に記載されるような注射器キャリア３４の後端とのスナップ嵌合部である。ばねガイド４６は、後方に延びる管状部を有し、その１つの側壁は、円盤磁石５４を係留的に収容するための凹部５３である。
【００１９】
ここで図４を参照すると、リアアセンブリは、主駆動源ばね５８を収容するリヤ本体収納部５６を備え、主駆動源ばね５８はプランジャ６０の後端に作用する。プランジャは、注射器の内部にピストン１１を係合するための前端６２と、オーバーモールド成形された着色表示片６４とを有する。表示片６４の後方には、ボール型磁石６８に横移動のために取り付けられる横通路６６がある。通路６６の後方には、プランジャ６０の長手方向軸線に固定して配置される強磁性のキーパーボール７２を収容する凹部７０が設けられる。プランジャ６０は、後端にかかり（ｂａｒｂ）７６を有する、２つの後方に延びる分岐した矢じりリム（ａｒｒｏｗｈｅａｄ  ｌｉｍｂ）７４を有し、その後端は、リヤ本体収納部５６（図１４及び１５参照）の内部で、環状の捕獲面７７のエッジの周囲に固定され、主ばね５８を圧縮して、発射準備位置（ｃｏｃｋｅｄ  ｐｏｓｉｔｉｏｎ）においてプランジャをラッチする。
【００２０】
自動注入装置は、２つの構成要素以外の全てが、３つの異なる充填量の注射器をもつ自動注入装置で共通するように設計されたモジュール構造である。注射器自体の形状及びサイズは標準的であり、充填量のみが異なる。一様でない２つの構成要素は、リヤ本体収納部１０及びプランジャ６０である。リヤ本体収納部５２の前端は、注射器内に含まれる充填量に従って可変長である互いに反対側にある切り欠き又は溝７８を含む。リヤ本体収納部５６内の溝７８の軸方向長さは、充填量に比例する。また、表示位置は同一の量で移動し、表示位置がプランジャストロークの端部で本体に対して同一の場所に到達するようになっている。さらに、プランジャは、磁石収納通路６６を配置するために注射器の充填量に従って変更され、その結果、プランジャは、その前方ストロークの端部にて、各充填量に対してリヤ本体収納部５６に対する同一の軸方向位置に達する。言いかえれば、プランジャ６０及び溝７８の軸方向長さは、複数の充填量の各々に対して、溝７８によって後端で組み立てられたウィンドウにより、投与量を含有する注射器の長さの表示ウィンドウ２２を、ユーザが使用に先立って認識するように設計されている。投与量が送り出された後、表示は、各充填量に対して同一の前方位置にある。
【００２１】
ここで図５〜図９を参照し、フロントアセンブリの主要な構成要素のアセンブリについて、更に詳細に説明する。注射器キャリア３４は、前方管状部３６の両側に設けられた一対の直線リブ８２を有する。リブ８２は、針シュラウドの管状部３２の内部にあるそれぞれの溝８４内を走行する。各リブ８２のすぐ後ろには、かかり８８をもつばねフィンガ８６の後方から延びる可動のヒンジ８５があり、かかり８８は後方に傾いた前方面を有する。注射器キャリアが針シュラウド２４の中に入れ子式に組み立てられるとき、かかり８８は、シュラウド２４（図６を参照）内の溝９０を通じて突出し、溝９０の後端がかかり８８に接する際に、注射器キャリア３４に対するシュラウド２４の前方移動を制限する。注射器キャップに対するシュラウド２４の後方移動は、注射器キャリア３４の管状部３６の後方から直立の前方の肩部９４に接する針シュラウド管状部の後方の肩部９２によって制限される。注射器キャリアのかかり８８の後方には、２つの後向きの傾斜面９６がある。
【００２２】
注射器キャリアは、その後端において、装置が組み立てられるときに、フロント本体部分２０内のそれぞれの溝１００を走行する４つの突起９８を有し、それによりフロント本体部分２０に対する注射器キャリアの直線移動を制限する。注射器キャリアの後部にスナップ嵌合されるのは、図８に示すような、ばねガイド４６である。これは、注射器キャリアの後端の壁１０４の周囲をスナップ嵌合するスナップ嵌合タブ１０２を有する。タブは、また、その中心を通るばねガイドフィンガ４８とともに、シュラウドばね４４のためのプラテン表面を形成する。シュラウドばねの前端は、針シュラウド２４のアーム３０の後部に向かって、突出したフィンガ１０６上に固定される。各溝９０のフロントから戻る距離の約３分の２は、傾いた前方面をもつ２つのかかり１０８である。可動のヒンジ上の、各溝９０の後ろには、再び傾いた前方面をもつ後方のかかり１１０がある。かかり１０８、１１０は、フロント本体収納部２０の長さの約３分の１下った箇所、フロント本体収納部の内壁上でそれぞれの相対するかかり１１２と協働する。
【００２３】
使用前位置におけるかかりの配置は、図１４及び図１５において明確に見てとれる。使用前位置において、針シュラウド上のかかり１０８は、フロント本体収納部上のかかり１１２とともに、針シュラウド２４の後方移動を阻止するように協働する。注射器キャリア上のかかり８８の前方面は、また、前方収納部上のフロント本体収納部上のかかり１１２とともに、フロントキャップ１４の除去に先立って、及びその除去間に、注射器キャリア３４の前方移動を阻止するように協働する。キャップの除去は、かかりの内部移動を初めに阻止する、かかり８８上の押さえ材を除去し、その結果、発射されたときに駆動ばねの力が、フロント本体収納部上のかかり１１２を通りすぎるように、かかり８８にカム動作をさせる。装置の作動中に、注射部位の周囲の皮膚とのその接触による前方移動に対して針シュラウド２４を保持したまま、発射されたとき、注射器１３及び注射器キャリア３４のサブアセンブリは、溝１００の前端に達する突起９８により境界を定められた制限位置まで、前方収納部に対して前方にシフトする。注射が完了した後、装置が皮膚から離れて持ち上げられるとき、皮膚接触圧力が表面２８から除去されるように、針シュラウド２４は移動する。これは、シュラウドばね４６の影響下で針シュラウドが前方に移動することを可能にし、その結果、針シュラウドが伸びた時点で、後部のかかり１１０は、前方に移動し、収縮を阻止するためにフロント収納部２０上のかかり１１２を越えて嵌まる。かかり１１０は、注射器キャリア３４上の下にある傾斜面９６によって、この位置に固定される。
【００２４】
ここで図１０及び図１１を参照すると、着脱可能なフロントキャップ１４は、上記のような投与量を観察することを可能にする、フロント本体収納部２０内のウィンドウ２２を組み立てるために、リヤ本体収納部５６上の溝７８に整列させる互いに反対にある溝１１４を有する。図１１を特に参照して、キャップは、外部部分において楕円であり、楕円の長軸上に配置されたアーチ形の断面のさらなる２つのフィンガ１１８から延びる、後方に延びる内部の中心円柱状部１１６を有する。フィンガの内部表面上には、後端に向かって、傾斜した後方面をもつ、それぞれ内側に向いたかかりリブ１２０がある。図１４及び図１５にて見てとれるように、リブ１２０は、注射器１３の筒体上の前方の肩部と、剛性の針シールド１５又はその開口部の後方面との間に形成された隙間内に嵌まるように設計されている。製造中に注射器１３が（取り付けられたキャップ１４をもつ）フロントアセンブリ１２に装填されるとき、剛性の針シュラウド１５は、図示するような針シールド１５の後端（又は針シールド内の開口部の後端）の背後にリブ１２０が止まるように、リブ１２０を越えて嵌まる。さらに、フロントキャップ１４は、キャップが嵌合されるときにフロント本体収納部の外部表面上のピップ１２４を解放可能なように係合する一対の浅いスカラップ１２２を有する（図１４及び図１５を参照）。
【００２５】
補充されるような状態（図１４）のとき、キャップのフィンガ１１８は、注射器キャリア３４のばねフィンガ８６の基礎となり、ばねフィンガ８６が内側に屈曲するのを阻止する。この状態において、フィンガ１１８は、それにより、内側の掛け金を外す動作に対抗してばねフィンガ８６を支持する。キャップ１４の円柱状部１１６の前端も、楕円の短軸に整列し、且つフロントキャップ１４に対する剛性針シールドの前方移動を阻止する、内側に向かう突起１２３とともに設けられる。このように、フロントキャップ１４が図１５に示す位置から引き離されるとき、リブ１２０は、注射器１３の前端からそれを緩めるために剛性針シールド１５を引き出す。同時に、フィンガ１１８の存在は、また、注射器と針シールドとの間に締り嵌めがある場合に、注射器が前方に引き出されるのを阻止するために針シールドが注射器から外れるまで内部移動に対抗してフィンガ８６をブロックすることによって、前方移動に対して注射器キャリア３４（及び、それによって注射器１３）を一時的にロックする。フロントキャップが装置から遊離しているとき、針シールド１５は、リブ１２０及び内側に向かう突起１２３によりとらえられたキャップ１４内に留められている。リブ１２０及び内側に向かう突起１２３を９０度に方向づけることは、開口端のキャップが、より複雑な鋳型設計を必要とせずに、スライドをもつ簡易な射出鋳型に射出鋳型されてもよいことを意味する。
【００２６】
図４、図１２、及び図１５を参照すると、発射ボタン１８は、短軸に沿って整列された２つの分岐した矢じりタブ１２５とともに楕円に形成される。矢じりタブ１２５は、収納部の後部に発射ボタン１８を保持し、且つその後方移動を制限するために、リヤ収納部分５６の内部の後方面上のそれぞれのリブの背後に固定される。トリガの内部の後方面は、プランジャ６０の後部の分岐した矢じり７４の外径よりもわずかに小径である発射突起（ｆｉｒｉｎｇ  ｂｏｓｓ）１２６を有し、その結果、発射ボタン１８が図示した位置から前方に押されるとき、突起は、前方移動のためのプランジャを自由にするために捕獲面７７からかかり７６を解放するために、一対の矢じり７４を相互に押し付ける。発射ボタン１８は、分岐した矢じりを別々に保持するためにリアキャップ１６上の安全ピン１３４が通過する突起１２６と同心の開口部１３０を有する。２つの前方に延び、可撓性があり、付勢する細片１３４が、楕円の長軸に整列されていて、リヤ収納部５６の後端のそれぞれの付勢カム面１３６と協働し、図１４（ａ）及び図１５（ａ）に示すように、低摩擦の滑るプラスチック同士の表面接触を提供する。カム面１３６は、距離をおいて所定のバリエーションの抵抗力を提供するように形作られる。付勢する細片は、カム面の曲線状のリヤ部分と協働し、分岐した矢じりタブによって画定されるその最後方の位置にボタンを戻すようになる付勢力を提供する。時期尚早な発射を回避するために、移動に対する触覚抵抗（ｔａｃｔｉｌｅ  ｒｅｓｉｓｔａｎｃｅ）を与えること、発射突起１２６がプランジャを解放する前に数ミリメートルの移動を必要とすることは望ましい。カム面の前方部分は、浅い勾配であり、装置が発射された後に移動に対する非可逆的抵抗を与え、それによってその最短距離の位置内に発射ボタンを貯留又は固定するように設計される。これは、装置が発射されたか否かに関して、更に有用な視覚的刺激をユーザに提供する。当然のことながら、必要に応じて、カム面は、その代りに、発射後にボタンを元の位置に戻すように設計されてもよい。
【００２７】
図示したような自動注入装置は、不注意の発射を阻止し、且つ使用後に安全な装置を与えるために、いくつかの安全な構成要素を含む。さらに、使用後に装置の分解に耐える又は阻止することは、非常に望ましい。上記の説明及び図２から、フロントアセンブリ内の注射器キャリアに注射器を挿入し、次に、フロント及びリアアセンブリを相互にスナップ嵌合することによって、装置が組み立てられることは、注目されるだろう。スナップ嵌合は、リヤ本体収納部５６内のそれぞれの開口部１４２内に同時に固定されるフロント本体収納部２０の後部の外向きのばね仕掛けのタブ１３８、１４０によって行われる。１つの対のタブ１３８は短軸に整列され、１つの対のタブ１４０は装置の長軸に整列される。適切な器用さ及び耐力があれば、外部から凹部１４２を通じて器具を突くことによって、４つのすべてのタブ１３８、１４０を押し、それによって装置を分解することが可能であろうことは、充分に理解されるだろう。但し、これは、図１３及び図１５（ｂ）にて見てとれるように、プランジャ６０に設けられた２つのフィン構成１４４によって、この実施形態において、防止される。図１５（ｂ）に示すように、プランジャは、ひとたび装置が発射され、プランジャが発射後位置にあれば、フィン構成１４４が楕円の短軸上のタブ１３８の基礎となり、それによって、内側の歪みからタブ１３８を支持して分解を防止するように設計される。
【００２８】
操作のために、ユーザは、フロントキャップ１４及びリアキャップ１６を除去することにより装置を作動可能にする。その後、注射部位の皮膚に対して針シュラウド２６の円錐形又は曲線状のフロント面を押すために、装置が注射部位まで供される。準備ができると、発射ボタン１８が押され、主駆動ばね５８の作用によって前方移動に対してプランジャ６０を解放する。初めに、プランジャのばね仕掛けの係合フィンガ１４５により、プランジャ及び注射器は、肉体を貫通する針を伸ばすために一体となって前方に移動し、この移動は、注射器キャリアの突起９８がフロント本体収納部の溝１００の前端に達するまで続けられ、それによって、必要な深さまで注射器の針を挿入する。注射器の移動の阻止に際して、ばね仕掛けの係合フィンガ１４５は、注射器の内孔内で内側に屈曲し、プランジャは、投与量を押し出すために注射器本体の下方へピストン１１を駆動しながら、移動し続ける。あるいは、装置の他の設計において、ばね係合フィンガが押し戻されてよく、それにより、後の方の前方移動が阻止される前に、プランジャが注射器内に移動し始めるようになる。いずれか設計において、プランジャがその最短距離の位置に達するとき、ボール型磁石６８は、キーパーボール７２に対する磁力によってプランジャの中心線上の通路６６内にそれまで保持され、ばねガイドの凹部内に保持された円盤磁石５４によってもたらされるより高い力によって誘引され、それに向かって加速して磁石及び／又はばねガイドと衝突し、注射が完了したことをユーザに対して示すよう大きな可聴のクリック音を生み出す。
【００２９】
その後、ユーザは、それら皮膚から装置を除去する。そして、針シュラウド２４の前端の圧の解放は、針を保護しようと前方に移動する一対のシュラウドばね４４の影響下で、それがすぐに前方に延びることができることを意味する。かかり１１０がその最も前方の位置に近づくにつれて、かかり１１０は、フロント収納部２０の内部のかかり１１２を越えて嵌まり、それによって針シュラウドの収縮を防止する。
【図１】
2014503282.tif 000003
【図２】
2014503282.tif 000004
【図３】
2014503282.tif 000005
【図４】
2014503282.tif 000006
【図５】
2014503282.tif 000007
【図６】
2014503282.tif 000008
【図７】
2014503282.tif 000009
【図８】
2014503282.tif 000010
【図９】
2014503282.tif 000011
【図１０】
2014503282.tif 000012
【図１１】
2014503282.tif 000013
【図１２】
2014503282.tif 000014
【図１３】
2014503282.tif 000015
【図１４（ａ）】
2014503282.tif 000016
【図１４（ｂ）】
2014503282.tif 000017
【図１５（ａ）】
2014503282.tif 000018
【図１５（ｂ）】
2014503282.tif 000019
【図１６（ａ）】
2014503282.tif 000020
【図１６（ｂ）】
2014503282.tif 000021
【国際調査報告】
2014503282.tif 000022
2014503282.tif 000023
2014503282.tif 000024